(57)【特許請求の範囲】
【請求項１】
ワイヤレス通信システムにおけるハンドオーバ動作を管理する方法であって、前記方法は、ネットワークデバイスが実行し、前記方法は、
１つまたは複数の通信チャネルを介して送信すべきデータを識別することと、
前記識別されたデータの中の、それぞれの通信チャネルに関連するステータス情報の位置を特定することと、
前記位置を特定されたステータス情報が送信されるようになるトリガイベントを検出することと、ここで、前記トリガイベントは、ハンドオーバ完了メッセージの送信を備える、
それぞれの識別されたデータを、前記データをステータス情報または残りの識別されたデータとして識別するインジケータを用いて、構成することと、ここで、前記位置を特定することは、前記識別されたデータのうちの少なくとも一部分を提供されたそれぞれのインジケータを分析することと、前記それぞれのインジケータに少なくとも部分的に基づいて、前記分析されたデータ内でのステータス情報の位置を特定することとを備える、
前記トリガイベントを検出した後の最初の送信において、前記位置を特定されたステータス情報を送信することと、ここで、前記最初の送信は、残りの識別されたデータのうちの少なくとも一部分の送信より前に行われる、
を備える方法。
【請求項２】
前記位置を特定されたステータス情報は、それぞれの通信チャネルに関連する１つまたは複数のパケットデータコンバージェンスプロトコル（ＰＤＣＰ）ステータスメッセージを備える、請求項１に記載の方法。
【請求項３】
前記送信することは、前記最初の送信において、それぞれのパケットデータコンバージェンスプロトコル（ＰＤＣＰ）ステータスメッセージを送信することを備える、請求項１に記載の方法。
【請求項４】
前記ステータス情報は、肯定応答（ＡＣＫ）情報または否定ＡＣＫ（ＮＡＣＫ）情報のうちの少なくとも１つを備える１つまたは複数の無線リンク制御（ＲＬＣ）メッセージを備える、請求項１に記載の方法。
【請求項５】
前記検出することは、ワイヤレス通信ネットワークと前記ワイヤレス通信ネットワークによってサービスされるユーザとの間の通信セッションに関連するトリガイベントを検出することを備える、請求項４に記載の方法。
【請求項６】
前記方法は、ステータス情報に対応する少なくとも１つの送信待ち行列と、それぞれの通信チャネルを介して送信すべき残りの識別されたデータに対応するそれぞれの送信待ち行列とを備える送信待ち行列のセットを識別することをさらに備え、
前記位置を特定することは、位置を特定されたステータス情報を、ステータス情報に対応する少なくとも１つの送信待ち行列に配置することをさらに備え、
前記送信することは、残りの識別されたデータに対応するそれぞれの送信待ち行列に関連する情報の送信より前に、前記ステータス情報に対応する少なくとも１つの送信待ち行列に配置された情報を送信することを備える、
請求項１に記載の方法。
【請求項７】
前記送信待ち行列のセットを識別することは、複数の通信チャネルを介して送信すべきステータス情報に対応する共通の送信待ち行列を識別することを備える、請求項６に記載の方法。
【請求項８】
前記送信待ち行列のセットを識別することは、残りの識別されたデータのためのそれぞれの送信待ち行列に関連するステータス情報に対応する送信待ち行列のセットを識別することを備える、請求項６に記載の方法。
【請求項９】
前記位置を特定することは、前記トリガイベントに続くそれぞれの通信チャネルを介して行われる最初の送信中に送信されるように指示されたそれぞれのデータ要素を提供されたインジケータを分析することをさらに備える、請求項１に記載の方法。
【請求項１０】
前記構成することは、データ要素がステータス情報を備えていると判断すると、前記データ要素内の所定のビット位置におけるビットを第１の値に設定すること、または、前記データ要素がステータス情報を備えていないと判断すると、前記ビットを第２の値に設定することを備える、請求項１に記載の方法。
【請求項１１】
前記位置を特定することは、ステータス情報が存在する通信チャネルのリストを識別することと、前記識別されたリストに少なくとも部分的に基づいてそれぞれの通信チャネルに関連するステータス情報の位置を特定することと、を備え、
前記送信することは、リストにされたそれぞれのステータス情報を、前記ステータス情報が存在する１つまたは複数の通信チャネルを介して送信することを備える、
請求項１に記載の方法。
【請求項１２】
前記ステータス情報の送信より前にステータス情報が望まれない少なくとも１つのアプリケーションに対応するステータス情報を廃棄することをさらに備える、請求項１に記載の方法。
【請求項１３】
前記ネットワークデバイスは、ワイヤレス通信ネットワーク中のアクセスポイントである、請求項１に記載の方法。
【請求項１４】
前記ネットワークデバイスは、ユーザ機器ユニット（ＵＥ）である、請求項１に記載の方法。
【請求項１５】
メモリであって、
１つまたは複数の無線ベアラに関係するデータと、
前記１つまたは複数の無線ベアラに関連するそれぞれの情報と
を記憶するメモリと、ここで、前記情報は、ステータスメッセージまたはデータのうちの少なくとも１つを備える、
プロセッサであって、
前記１つまたは複数の無線ベアラに関連する前記情報の中のそれぞれのステータスメッセージを識別し、
前記それぞれのステータスメッセージに、前記ステータスメッセージがトリガイベントの検出に続く最初の送信において送信されるように、優先順位を付け、ここで、前記最初の送信は、前記１つまたは複数の無線ベアラに関連するデータを送信するより前に行われ、前記トリガイベントは、ハンドオーバ完了メッセージの送信を備え、それぞれのデータ要素とステータスメッセージとが、前記それぞれのデータ要素と前記ステータスメッセージとを識別するインジケータを備える、
少なくとも部分的に、前記１つまたは複数の無線ベアラに関連するそれぞれのデータ要素とステータスメッセージとに関連するインジケータを分析することによって、前記１つまたは複数の無線ベアラに関連する前記情報の中のそれぞれのステータスメッセージを識別する、
ように構成されたプロセッサと  を備えるワイヤレス通信装置。
【請求項１６】
前記ステータスメッセージは、それぞれの無線ベアラに関連するパケットデータコンバージェンスプロトコル（ＰＤＣＰ）ステータスメッセージを備える、請求項１５に記載のワイヤレス通信装置。
【請求項１７】
前記ステータスメッセージは、肯定応答（ＡＣＫ）情報または否定ＡＣＫ（ＮＡＣＫ）情報のうちの少なくとも１つを備える無線リンク制御（ＲＬＣ）メッセージを備える、請求項１５に記載のワイヤレス通信装置。
【請求項１８】
前記プロセッサは、前記ワイヤレス通信装置と、ワイヤレス通信ネットワークまたはユーザ機器ユニット（ＵＥ）のうちの少なくとも１つとの間の通信セッション中に、それぞれのステータスメッセージを送信するようにさらに構成された、請求項１５に記載のワイヤレス通信装置。
【請求項１９】
前記メモリは、それぞれのデータ要素に関連する１つまたは複数のデータ無線ベアラ（ＤＲＢ）と、それぞれのステータスメッセージに関連する１つまたは複数のステータス無線ベアラとに関係するデータをさらに記憶し、
前記プロセッサは、それぞれのステータス無線ベアラに関連するステータスメッセージが前記１つまたは複数のＤＲＢに関連するデータより前に送信されるように、それぞれの無線ベアラに送信優先順位を付けるようにさらに構成された、
請求項１５に記載のワイヤレス通信装置。
【請求項２０】
前記１つまたは複数のステータス無線ベアラは、複数のＤＲＢのためのステータスメッセージに関連する共通のステータス無線ベアラを備える、請求項１９に記載のワイヤレス通信装置。
【請求項２１】
前記１つまたは複数のステータス無線ベアラは、対応するＤＲＢにそれぞれ関連するステータス無線ベアラのセットを備える、請求項１９に記載のワイヤレス通信装置。
【請求項２２】
それぞれのインジケータは、データ要素またはステータスメッセージのために、前記データ要素または前記ステータスメッセージ内の所定のビット位置をあらかじめ定義された値に設定することによって設定され、
前記あらかじめ定義された値は、データ要素を示す第１の値またはステータスメッセージを示す第２の値である、
請求項１５に記載のワイヤレス通信装置。
【請求項２３】
前記メモリは、ステータスメッセージが位置を特定される無線ベアラのセットに関係するデータをさらに記憶し、
前記プロセッサは、前記無線ベアラのセット中の前記無線ベアラ上に位置を特定されたそれぞれのステータスメッセージに優先順位を付けるようにさらに構成された、
請求項１５に記載のワイヤレス通信装置。
【請求項２４】
前記プロセッサは、ステータスメッセージがユーティリティのしきい値レベルを下回っていると判断されたそれぞれのアプリケーションに関係するステータスメッセージを廃棄するようにさらに構成された、請求項１５に記載のワイヤレス通信装置。
【請求項２５】
前記ワイヤレス通信装置は、ノードＢである、請求項１５に記載のワイヤレス通信装置。
【請求項２６】
前記ワイヤレス通信装置は、ワイヤレス端末である、請求項１５に記載のワイヤレス通信装置。
【請求項２７】
ワイヤレス通信システムにおいて動作可能な装置であって、
１つまたは複数の論理チャネルを介して送信すべき情報を識別するための手段と、
前記識別された情報をステータスシグナリングとデータとに分類するための手段と、ここで、前記分類するための手段は、
前記識別された情報に関連するそれぞれのインジケータを識別するための手段と、ここで、前記インジケータは、ステータスシグナリングインジケータまたはデータインジケータのうちの１つまたは複数を備える、
少なくとも部分的に、ステータスシグナリングインジケータに関連する識別された情報をステータスシグナリングとして分類することと、データインジケータに関連する識別された情報をデータとして分類することとによって、前記識別された情報をステータスシグナリングとデータとに分類するための手段と
を備える、
ステータスシグナリングとして分類された情報がステータス送信のためのトリガイベントの検出に続く最初の送信において送信されるように、前記識別された情報に優先レベルを割り当てるための手段と、ここで、前記最初の送信は、データとして分類された情報より前に行われ、前記トリガイベントは、ハンドオーバ完了メッセージの送信を備える、
を備える、装置。
【請求項２８】
前記ステータスシグナリングは、それぞれの論理チャネルに関連する１つまたは複数のパケットデータコンバージェンスプロトコル（ＰＤＣＰ）ステータスメッセージを備える、請求項２７に記載の装置。
【請求項２９】
前記ステータスシグナリングは、肯定応答（ＡＣＫ）情報または否定ＡＣＫ（ＮＡＣＫ）情報のうちの少なくとも１つを備える１つまたは複数の無線リンク制御（ＲＬＣ）メッセージを備える、請求項２７に記載の装置。
【請求項３０】
前記識別するための手段は、その上に待ち行列に入れられたそれぞれのデータを有する１つまたは複数のデータ無線ベアラ（ＤＲＢ）と、その上に待ち行列に入れられたそれぞれのステータスシグナリングを有する１つまたは複数のステータス無線ベアラとを備える無線ベアラのセットを識別するための手段を備え、
前記割り当てるための手段は、前記ステータス送信のためのトリガイベントを検出すると、前記１つまたは複数のステータス無線ベアラ上の待ち行列に入れられたステータスシグナリングが、前記１つまたは複数のＤＲＢ上の待ち行列に入れられたデータより前に送信されるように、前記無線ベアラのセットに優先レベルを割り当てるための手段を備える、
請求項２７に記載の装置。
【請求項３１】
前記１つまたは複数のステータス無線ベアラは、その上に待ち行列に入れられた複数のＤＲＢに関連するステータスシグナリングを有する共通のステータス無線ベアラを備える、請求項３０に記載の装置。
【請求項３２】
前記１つまたは複数のステータス無線ベアラは、それぞれのＤＲＢに対応するステータス無線ベアラのセットを備え、前記ステータス無線ベアラは、その上に待ち行列に入れられたそれらのそれぞれの対応するＤＲＢに関連するステータスシグナリングを有する、請求項３０に記載の装置。
【請求項３３】
前記識別された情報に関連する前記それぞれのインジケータは、前記識別された情報内の所定のビット位置に位置を特定されたあらかじめ定義されたビット値を備え、
前記あらかじめ定義されたビット値は、ステータスシグナリング指示を提供する第１のビット値、またはデータ指示を提供する第２のビット値である、
請求項２７に記載の装置。
【請求項３４】
前記分類するための手段は、
ステータスシグナリングが存在する論理チャネルのリストを維持するための手段と、
前記維持されたリストに少なくとも部分的に基づいて、それぞれの識別された情報をステータスシグナリングとして分類するための手段と
を備える、請求項２７に記載の装置。
【請求項３５】
前記装置は、ノードＢまたはユーザ機器ユニット（ＵＥ）のうちの１つである、請求項２７に記載の装置。
【請求項３６】
コンピュータに、１つまたは複数の無線ベアラと、前記１つまたは複数の無線ベアラ上の待ち行列に入れられたそれぞれの情報とを識別させるためのコードと、なお、前記情報は、ステータスメッセージまたはデータのうちの少なくとも１つを備える、
コンピュータに、前記１つまたは複数の無線ベアラ上の待ち行列に入れられた前記情報の中のそれぞれのステータスメッセージを識別させるためのコードと、ここで、前記コンピュータにそれぞれのステータスメッセージを識別させるためのコードは、
コンピュータに、前記１つまたは複数の無線ベアラ上の待ち行列に入れられた前記情報に関連するそれぞれのインジケータを識別させるためのコードと、ここで、前記インジケータは、ステータスメッセージインジケータまたはデータインジケータのうちの１つまたは複数を備える、
コンピュータに、少なくとも部分的に、前記１つまたは複数の無線ベアラ上の待ち行列に入れられたステータスメッセージインジケータに関連する情報を識別することによって、それぞれのステータスメッセージを識別させるためのコードと
を備える、
コンピュータに、前記それぞれのステータスメッセージに、前記ステータスメッセージがトリガイベントの検出に続く最初の送信において送信されるように、優先順位を付けさせるためのコードと、なお、前記最初の送信は、前記１つまたは複数の無線ベアラ上の待ち行列に入れられたデータを送信するよりも前に行われ、前記トリガイベントは、ハンドオーバ完了メッセージの送信を備える、
を記憶したコンピュータプログラムを備えるコンピュータ可読記憶媒体。
【請求項３７】
前記ステータスメッセージは、それぞれの無線ベアラに関連し、パケットデータコンバージェンスプロトコル（ＰＤＣＰ）ステータスメッセージ、または無線リンク制御（ＲＬＣ）肯定応答（ＡＣＫ）メッセージのうちの少なくとも１つを備える、請求項３６に記載のコンピュータ可読記憶媒体。
【請求項３８】
前記コンピュータに優先順位を付けさせるためのコードは、コンピュータに、ワイヤレス通信システムにおけるそれぞれのセル間のハンドオーバ、またはワイヤレス通信ネットワークと前記ワイヤレス通信ネットワークによってサービスされるユーザ機器ユニット（ＵＥ）との間の通信セッションのうちの少なくとも１つに関連するステータスメッセージの送信に関して、前記それぞれのステータスメッセージに優先順位を付けさせるためのコードを備える、
請求項３６に記載のコンピュータ可読記憶媒体。
【請求項３９】
前記コンピュータに１つまたは複数の無線ベアラを識別させるためのコードは、コンピュータに、それぞれのデータが待ち行列に入れられた１つまたは複数のデータ無線ベアラ（ＤＲＢ）と、それぞれのステータスメッセージが待ち行列に入れられた１つまたは複数のステータス無線ベアラとを識別させるためのコードを備える、請求項３６に記載のコンピュータ可読記憶媒体。
【請求項４０】
前記１つまたは複数のステータス無線ベアラは、複数のＤＲＢに関連するステータスメッセージが待ち行列に入れられた共通のステータス無線ベアラを備える、請求項３９に記載のコンピュータ可読記憶媒体。
【請求項４１】
前記１つまたは複数のステータス無線ベアラは、それぞれのＤＲＢに対応し、前記それぞれ対応するＤＲＢに関連するステータスメッセージが待ち行列に入れられたステータス無線ベアラのセットを備える、請求項３９に記載のコンピュータ可読記憶媒体。
【請求項４２】
前記コンピュータにそれぞれのインジケータを識別させるためのコードは、
コンピュータに、前記１つまたは複数の無線ベアラ上の待ち行列に入れられたそれぞれの情報内の所定のビット位置を分析させるためのコードと、
コンピュータに、前記所定のビット位置における第１の値を有する情報をステータスメッセージとして識別させるためのコードと、
コンピュータに、前記所定のビット位置における第２の値を有する情報をデータとして識別させるためのコードと
を備える、請求項３６に記載のコンピュータ可読記憶媒体。
【請求項４３】
前記コンピュータにそれぞれのステータスメッセージを識別させるためのコードは、
コンピュータに、ステータスメッセージが待ち行列に入れられた無線ベアラのセットを維持させるためのコードと、
コンピュータに、前記維持されたセットによって示された１つまたは複数の無線ベアラ上の待ち行列に入れられたステータスメッセージを識別させるためのコードと
を備える、請求項３６に記載のコンピュータ可読記憶媒体。
【発明の詳細な説明】
【関連出願】
【０００１】
本出願は、その全体が参照により本明細書に組み込まれる、２００８年６月２０日に出願された「PRIORITIZATION OF PDCP STATUS MESSAGES IN LTE AFTER HANDOVER」と題する米国特許仮出願第６１／０７４，３２５号の利益を主張する。
【技術分野】
【０００２】
本開示は、一般にワイヤレス通信に関し、より詳細には、ワイヤレス通信システムにおいてハンドオーバ動作を管理するための技法に関する。
【背景技術】
【０００３】
ワイヤレス通信システムは、様々な通信サービスを提供するために広く展開されており、そのようなワイヤレス通信システムを介して、たとえば、ボイス、ビデオ、パケットデータ、ブロードキャスト、およびメッセージングサービスを提供することができる。これらのシステムは、利用可能なシステムリソースを共有することによって複数の端末のための通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。そのようなシステムでは、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力（ＳＩＳＯ）、多入力単出力（ＭＩＳＯ）、または多入力多出力（ＭＩＭＯ）システムを介して確立できる。
【０００５】
端末、基地局など、ワイヤレス通信システムにおけるデバイスは、時間、周波数、符号などの所定のリソースによって送信できるそれぞれのパケットに情報をカプセル化することによって通信することができる。さらに、受信エンティティが、消失したパケットおよび／またはさもなければ間違って受信したパケットの存在に気づき、場合によっては、そのようなパケットの再送信を要求することができるように、それぞれのパケットを構成することができる。
【０００６】
一例では、端末および／またはターゲットセルにおけるステータスメッセージを介してソースネットワークセルからターゲットネットワークセルへの端末のハンドオーバ中にパケット再送信を要求することができる。しかしながら、端末および／またはターゲットセルにおけるスケジューラ構成など、様々な要因により、場合によっては、ハンドオーバの後にステータスメッセージの送信が遅延または省略されることがある。そのようなステータスメッセージの恩恵がなければ、デバイスがステータスメッセージを送信する先であるエンティティは、再送信が望まれる消失したパケットに関係する情報をほとんどまたは全く収集することができないことが諒解できよう。このステータス情報の欠如により、所与のネットワークデバイスが実質的に全くデータを再送信せず、その結果、パケットを受信するエンティティにおいてデータ損失を生じることがある。代替的に、ステータス情報の欠如により、ネットワークデバイスが、データを受信するエンティティによってすでに正しく得られたかなりの量のデータの冗長な再送信を行うことになり、その結果、不要な帯域幅消費を生じることがある。したがって、少なくとも上記の欠点を緩和する改善された再送信管理技法をインプリメントすることが望ましいであろう。
【発明の概要】
【０００７】
以下で、請求する主題の様々な態様の基本的理解を与えるために、そのような態様の簡略化された概要を提示する。この概要は、すべての企図された態様の包括的な概観ではなく、主要または重要な要素を識別するものでも、そのような態様の範囲を定めるものでもない。その唯一の目的は、後で提示するより詳細な説明の導入として、開示する態様のいくつかの概念を簡略化された形で提示することである。
【０００８】
一態様による方法について、本明細書で説明する。本方法は、１つまたは複数の通信チャネルを介して送信すべきデータを識別することと、識別されたデータのうち、それぞれの通信チャネルに関連するステータス情報の位置を特定することと、ステータス情報を送信すべきトリガイベントを検出することと、残りの識別されたデータの少なくとも一部分の送信より前にトリガイベントを検出すると、位置を特定されたステータス情報を送信することとを備えることができる。
【０００９】
第２の態様は、１つまたは複数の無線ベアラに関係するデータと、その１つまたは複数の無線ベアラに関連するそれぞれの情報とを記憶するメモリを備えることができるワイヤレス通信装置であって、その情報がステータスメッセージまたはデータのうちの少なくとも１つを備える、ワイヤレス通信装置に関する。本ワイヤレス通信装置は、１つまたは複数の無線ベアラに関連する情報のうち、それぞれのステータスメッセージを識別し、それぞれのステータスメッセージが、１つまたは複数の無線ベアラに関連するデータより前に送信されるように、そのステータスメッセージに優先順位を付けるように構成されたプロセッサをさらに備えることができる。
【００１０】
本明細書で説明する第３の態様は、ワイヤレス通信システムにおいて動作可能な装置に関する。本装置は、１つまたは複数の論理チャネルを介して送信すべき情報を識別するための手段と、識別された情報をステータスシグナリングとデータとに分類するための手段と、ステータス送信のためのトリガイベントを検出すると、ステータスシグナリングとして分類された情報がデータとして分類された情報より前に送信されるように、識別された情報に優先レベルを割り当てるための手段とを備えることができる。
【００１１】
本明細書で説明する第４の態様は、コンピュータに、１つまたは複数の無線ベアラと、その１つまたは複数の無線ベアラ上の待ち行列に入れられたそれぞれの情報とを識別させるためのコードであって、その情報がステータスメッセージまたはデータのうちの少なくとも１つを備える、コードと、コンピュータに、１つまたは複数の無線ベアラ上の待ち行列に入れられた情報のうち、それぞれのステータスメッセージを識別させるためのコードと、コンピュータに、それぞれのステータスメッセージが１つまたは複数の無線ベアラ上の待ち行列に入れられたデータより前に送信されるように、そのステータスメッセージに優先順位を付けさせるためのコードと、を含むコンピュータ可読媒体を備えることができる、コンピュータプログラム製品に関する。
【００１２】
上記および関係する目的を達成するために、請求する主題の１つまたは複数の態様は、以下で十分に説明し、特に特許請求の範囲で指摘する特徴を備える。以下の説明および添付の図面に、請求する主題のいくつかの例示的な態様を詳細に記載する。ただし、これらの態様は、請求する主題の原理を採用することができる様々な方法のほんのいくつかを示すものである。さらに、開示する態様は、すべてのそのような態様およびそれらの均等物を含むものとする。
【図面の簡単な説明】
【００１３】
【図１】様々な態様による、ワイヤレス通信システムにおいてハンドオーバに関連するデータ送信の管理を可能にするシステムのブロック図。
【図２】ワイヤレス通信システムにおいて行うことができる例示的なハンドオーバシーケンスを示すタイミング図。
【図３】様々な態様による、ワイヤレス通信環境において利用できる例示的な通信層およびそれぞれの対応するパケット構造を示す図。
【図４】ワイヤレス通信環境においてデータ送信の管理のために利用できる例示的なデータ無線ベアラを示す図。
【図５】様々な態様による、１つまたは複数のステータスベアラを介してワイヤレス通信システムに関連するステータスメッセージに優先順位を付けるためのシステムのブロック図。
【図６】様々な態様による、データ無線ベアラのセットと組み合わせて１つまたは複数のステータスベアラをインプリメントするための例示的な技法を示す図。
【図７】様々な態様による、データ無線ベアラのセットと組み合わせて１つまたは複数のステータスベアラをインプリメントするための例示的な技法を示す図。
【図８】様々な態様による、それぞれの関連する無線ベアラの分析に基づくステータスメッセージの優先順位付けのためのシステムのブロック図。
【図９】様々な態様による、それぞれの関連する無線ベアラに関係する記録された情報に基づくステータスメッセージの優先順位付けのためのシステムのブロック図。
【図１０】ワイヤレス通信システムにおいてステータス情報の送信を管理するための方法のフローチャート。
【図１１】ステータスシグナリングのために１つまたは複数の無線ベアラを維持し、利用するための方法のフローチャート。
【図１２】それぞれのデータベアラ上の待ち行列に入れられたステータス情報を区別し、優先順位を付けるために、それぞれのデータベアラを分析するための方法のフローチャート。
【図１３】優先順位付き送信のための無線ベアラのセットのうちのステータス情報を追跡するための方法のフローチャート。
【図１４】ワイヤレス通信システムにおいてステータスシグナリングの送信を可能にする装置のブロック図。
【図１５】本明細書で説明する機能の様々な態様をインプリメントするために利用できるワイヤレス通信デバイスのブロック図。
【図１６】本明細書で説明する機能の様々な態様をインプリメントするために利用できるワイヤレス通信デバイスのブロック図。
【図１７】本明細書に記載の様々な態様によるワイヤレス多元接続通信システムを示す図。
【図１８】本明細書で説明する様々な態様が機能することができる、例示的なワイヤレス通信システムを示すブロック図。
【発明を実施するための形態】
【００１４】
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。他の例では、１つまたは複数の態様の説明を円滑にするために、よく知られた構造およびデバイスをブロック図の形態で示す。
【００１５】
本出願で使用する「コンポーネント」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、コンポーネントは、プロセッサ上で実行されるプロセス、集積回路、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信することができる。
【００１６】
さらに、本明細書ではワイヤレス端末および／または基地局に関する様々な態様について説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続することができ、あるいは携帯情報端末（ＰＤＡ）などの内臓式デバイスとすることができる。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（たとえば、アクセスポイントまたは進化型ノードＢ（ｅＮＢ））は、１つまたは複数のセクタを通して、エアインターフェースを介してワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００１７】
その上、本明細書で説明する様々な機能は、ハードウェア、ソフトウェア、ファームウェア、またはそれらの組合せでインプリメントできる。ソフトウェアでインプリメントする場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００１８】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに対して使用できる。「システム」および「ネットワーク」という用語は、本明細書ではしばしば互換的に使用される。ＣＤＭＡシステムは、ＵＴＲＡ（UNIVERSAL Terrestrial Radio Access）、ＣＤＭＡ２０００などの無線技術をインプリメントすることができる。ＵＴＲＡは、Ｗ−ＣＤＭＡ（Wideband−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧＳＭ（登録商標）（Global System for Mobile Communications）などの無線技術をインプリメントすることができる。ＯＦＤＭＡシステムは、Ｅ−ＵＴＲＡ（Evolved ＵＴＲＡ）、ＵＭＢ（Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術をインプリメントすることができる。ＵＴＲＡおよびＥ−ＵＴＲＡは、ＵＭＴＳ（Universal Mobile Telecommunication System）の一部である。３ＧＰＰ  ＬＴＥ（Long Term Evolution）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する組織からの文書に記載されている。さらに、ＣＤＭＡ２０００およびＵＭＢは、「第３世代パートナーシッププロジェクト」（３ＧＰＰ２）と称する組織からの文書に記載されている。
【００１９】
いくつかのデバイス、コンポーネント、モジュールなどを含むことができるシステムに関して、様々な態様を提示する。様々なシステムは、追加のデバイス、コンポーネント、モジュールなどを含んでもよく、および／または各図に関連して論じるデバイス、コンポーネント、モジュールなどのすべてを含まなくてもよいことを理解および諒解されたい。これらの手法の組合せを使用することもできる。
【００２０】
次に図面を参照すると、図１は、本明細書で説明する様々な態様によるワイヤレス通信システムにおけるハンドオーバに関連するデータ送信の管理を可能にするシステム１００を示す。図１に示すように、システム１００はノードＢ（たとえば、基地局、アクセスポイント（ＡＰ）、進化型ノードＢ（ｅＮＢ）など）を含むことができ、ノードＢは、１つまたは複数のユーザ機器ユニット（ＵＥ、本明細書ではアクセス端末（ＡＴ）、モバイル端末などとも呼ぶ）１３０と通信することができる。一例では、ノードＢ１１０は、ＵＥ１３０との１つまたは複数のダウンリンク（ＤＬ、順方向リンク（ＦＬ）とも呼ばれる）通信に係わり、ＵＥ１３０は、ノードＢ１１０との１つまたは複数のアップリンク（ＵＬ、逆方向リンク（ＲＬ）とも呼ばれる）通信に係わることができる。別の例では、ノードＢ１１０は、進化型ＵＭＴＳ（Universal Mobile Telecommunications  System）  Ｅ−ＵＴＲＡＮ（Terrestrial Radio Access  Network）、またはその一部分（たとえば、セル、セクタなど）などのワイヤレス通信ネットワークに関連することができる。さらに、ノードＢ１１０は、ノードＢ１１０とＵＥ１３０との間の通信を調整するために、システムコントローラ（図示せず）などの１つまたは複数の他のネットワークエンティティとともに動作することができる。
【００２１】
一例では、ノードＢ１１０およびＵＥ１３０は、それぞれの情報を含んでいるように構成された、プロトコルデータユニット（ＰＤＵ）など、それぞれのパケットの形態で、システム１００において互いおよび／または他のエンティティとの間でデータ、シグナリング、および／または他の情報を通信することができる。たとえば、ノードＢ１１０におけるプロセッサ１２２は、独立して、またはメモリ１２４の助けを借りて、送信機１１８によってＵＥ１３０に送信すべき１つまたは複数のパケットを発生することができる。同様に、ＵＥ１３０におけるプロセッサ１４２は、メモリ１４４の助けを借りてまたは借りずに、送信機１３８を介して送信するためのパケットを発生するために利用できる。別の例では、ノードＢ１１０およびＵＥ１３０におけるそれぞれのメモリ１２４および１４４を利用して、それぞれの送信前、送信中、または送信後にそれぞれのパケットまたは対応する情報を記憶することができる。
【００２２】
一態様によれば、図２のダイヤグラム２００によって示されるように、システム１００内のそれぞれのパケット通信は、システムプロトコルスタック中の１つまたは複数の通信層のコンテキスト内で実行できる。ダイヤグラム２００によって示される例では、ＰＤＣＰ（Packet Data Convergence Protocol）層２１０、無線リンク制御（ＲＬＣ）層２２０、ＭＡＣ（Media Access Control）層２３０、およびＬ１（Layer１）２４０を利用して、それぞれの複雑さレベルにおけるワイヤレス通信の様々な態様を実行することができる。したがって、たとえば、ＰＤＣＰ層２１０を利用してデータ圧縮およびシーケンシングならびに／または他のハイレベル機能を実行し、ＲＬＣ層２２０を利用して様々なデータの送信および／または再送信を管理し、ＭＡＣ層２３０を利用してネットワークに関連する通信リソースへのそれぞれの関連するデバイスのアクセスを管理し、Ｌ１  ２４０を低いレベルにおいて利用して所与のネットワークデバイスに関連する物理的エアインターフェースを管理することができる。ただし、上記は具体例として与えたものであり、ダイヤグラム２００によって示されるどの層２１０〜２４０も（１つまたは複数の）任意の好適な機能を実行することができることを理解するべきである。さらに、システムは、通信層の任意の好適なセットを任意の好適な順序で利用することができることを理解するべきである。
【００２３】
別の態様によれば、層２１０〜２４０は、情報の通信に関して１つまたは複数のレベルでの情報の管理および／または処理を可能にするために、それぞれのＰＤＵフォーマットに関連することができる。したがって、ダイヤグラム２００に示すように、それぞれのＰＤＣＰ  ＰＤＵ２１２はＰＤＣＰ層２１０に関連し、ＰＤＣＰ層２１０は、ＲＬＣ層２２０に関連するＲＬＣ  ＰＤＵ２２２内に含めることができる。ＰＤＣＰ  ＰＤＵ２１２は、任意の好適な方法でＲＬＣ  ＰＤＵ２２２にマッピングすることができることが、ダイヤグラム２００から理解することができる。したがって、１対１のマッピング、多対１のマッピング、１対多のマッピング、および／または任意の他の好適なマッピングを利用して、それぞれのＲＬＣ  ＰＤＵ２２２内でＰＤＣＰ  ＰＤＵ２１２をカプセル化することができる。さらに、ダイヤグラム２００には示していないが、ワイヤレス通信システムに関連するＭＡＣ層２３０、Ｌ１  ２４０、および／または他の層は、所与の対応する層内で情報を処理するためのＰＤＵフォーマットを追加または代替として利用することができることを理解するべきである。
【００２４】
追加の態様によれば、ＰＤＣＰ層２１０およびＲＬＣ層２２０など、ダイヤグラム２００内の層の組合せは、それぞれのデータ無線ベアラ（ＤＲＢ）を介して結合できる。通信層のセットを結合するために利用できるＤＲＢの例示的なセットを図３のダイヤグラム３００によって示す。ダイヤグラム３００が示すように、たとえば、ダイヤグラム２００によって示されるＰＤＣＰ層２１０とＲＬＣ層２２０との間のそれぞれのパイプラインに対応するそれぞれのＤＲＢ３１０〜３３０を与えることができる。ダイヤグラム３００は、３つのＤＲＢ３１０〜３３０を利用するシステムを示すが、任意の好適な数のＤＲＢを利用することができることを理解するべきである。
【００２５】
一例では、それぞれのＤＲＢ３１０〜３３０を利用して、ワイヤレス通信システム内の後の送信のために、１つまたは複数のＰＤＣＰ  ＰＤＵに対応するデータを待ち行列に入れることができる。さらに、ＤＲＢ３１０〜３３０を利用して、以下にさらに詳細に説明するように発生および／または使用することができるＰＤＣＰステータスメッセージを保持することができる。ダイヤグラム３００によって示される別の例では、ＤＲＢ３１０〜３３０内で待ち行列に入れられた情報をＤＲＢ３１０〜３３０のそれぞれの優先順位に少なくとも部分的に基づいて送信するように、ＤＲＢ３１０〜３３０に優先順位の値を割り当てることができる。したがって、ダイヤグラム３００に示すように、ＤＲＢ３１０は最高優先順位を有し、ＤＲＢ３２０は第２の最高優先順位を有し、ＤＲＢ３３０は最低優先順位を有することができる。ただし、任意の好適な方法でＤＲＢ３１０〜３３０間で優先順位を確立し、それぞれの所与の優先レベルを任意の好適な数のＤＲＢ３１０〜３３０に適用することができることを理解するべきである。
【００２６】
図１に戻ると、一態様によれば、所与のＵＥ１３０に対する通信パフォーマンスを最適化するために、システム１００は適応型とすることができる。したがって、たとえば、ＵＥ１３０がノードＢ１１０のカバレッジエリア外に出ているか、ＵＥ１３０が、ノードＢ１１０が行う機能または能力を有しないサービスを必要としているか、あるいは他の理由で、ノードＢ１１０とＵＥ１３０との間の無線状態が劣化した場合には、ＵＥ１３０に対するサービスをソースノードＢ１１０からターゲットノードＢに転送するハンドオーバを行うことができる。一例では、それぞれのノードＢ１１０におけるハンドオーバコーディネータ１１２とＵＥ１３０におけるハンドオーバコーディネータ１３２とを利用して、それぞれのデバイスにおけるハンドオーバを管理することができる。
【００２７】
別の例では、ソースセルからターゲットセルへのＵＥのハンドオーバを、図４に示すタイミング図４００に示すように行うことができる。図４に示すハンドオーバ手順および本明細書で提供する様々な態様について、ＵＥおよびＤＬデータのためのステータス報告に関して説明するが、とはいえ、追加または代替としてＵＬデータのステータスを報告するためにノードＢによって同様の技法を利用することができることを理解するべきである。時刻４０２において示すように、ハンドオーバが開始し、ＵＥは、そのソースセルからハンドオーバのターゲットセルに関係する情報を含むハンドオーバメッセージを受信する。次に、時刻４０４において、ＵＥは、ターゲットセルを収集し、時刻４０６において、ランダムアクセスチャネル（ＲＡＣＨ）メッセージをターゲットセルに送信する。一例では、時刻４０６において、ＵＥは、専用ＲＡＣＨプリアンブルを使用してＲＡＣＨメッセージを送信する。
【００２８】
ＲＡＣＨメッセージの受信の後、時刻４０８において、ターゲットセルは、ＵＥがハンドオーバ完了メッセージとバッファステータスリポート（ＢＳＲ）とを送信するのに十分なＵＬリソースの許可とともに応答を送信する。次いで、時刻４１０において、この許可に基づいて、ＵＥはハンドオーバ完了メッセージとＢＳＲとを送信する。一例では、時刻４０６において、ＲＡＣＨメッセージが専用ＲＡＣＨプリアンブルを使用して送信された場合に、時刻４０８〜４１０において、追加または代替として、ＲＡＣＨメッセージに対する競合の解消を行う。次に、時刻４１２において、ＵＥは、１つまたは複数のＰＤＣＰステータスメッセージを送信すべきリソースのための許可を随意に要求する。一例では、ＵＥは、ＤＲＢ当たり１つのＰＤＣＰステータスメッセージの許可を要求するように構成された場合、そうすることができる。
【００２９】
時刻４１２において送信された要求に基づいて、および／または自発的に、その後、時刻４１４において、ターゲットセルは、ＵＥが（１つまたは複数の）ＰＤＣＰステータスメッセージを送信することができるように、許可をＵＥに送信する。時刻４１６において、ＵＥは（１つまたは複数の）ステータスメッセージを送信する。（１つまたは複数の）メッセージを受信すると、時刻４１８において、ターゲットセルは、どのＰＤＣＰ  ＳＤＵが受信されたかを識別し、時刻４２０において、ＵＥにおいて消失しているものとして識別されたＰＤＣＰ  ＳＤＵの再送信を開始する。追加または代替として、時刻４１８および／または時刻４２０において、ターゲットセルは、ＵＥによって正しく受信されたものとして識別されたＰＤＣＰ  ＰＤＵを記憶するために利用されているメモリを解放する。
【００３０】
上記のハンドオーバ手順に鑑みて、システム１００中のＵＥ１３０は、ハンドオーバ完了メッセージに続く（１つまたは複数の）第１のパケットとして、それぞれのＤＲＢ上でそれぞれのＰＤＣＰステータスメッセージを送信するように構成できる。一例では、ＰＤＣＰステータスメッセージは、シグナリング無線ベアラ（ＳＲＢ）を介して送信され、消失しているＤＬ  ＰＤＣＰ  ＰＤＵ、および／または順序正しく受信した最後のＤＬ  ＰＤＣＰ  ＰＤＵのシーケンス番号（ＳＮ）を示すために利用できる。したがって、具体例として、ＵＥ１３０が所与のＤＲＢ上でノードＢ１１０からＳＮ１、２、４、６、および１０をもつＰＤＣＰ  ＰＤＵを受信した場合、ＤＲＢのＰＤＣＰステータスメッセージは、ＳＮ３、５、７、８、および９をもつＰＤＣＰ  ＰＤＵが消失していることと、ＳＮ２をもつＰＤＣＰ  ＰＤＵが順序正しく受信した最後のＰＤＵであったこととを示すことができる。したがって、ノードＢ１１０は、ＰＤＵ１、２、４、６、および１０を記憶するために利用されるメモリを解放し、消失しているＰＤＵ３、５、７、８、および９のみのための再送信を行うことができる。同様の具体的な例では、それぞれのＰＤＣＰ  ＰＤＵがそれぞれのＲＬＣ  ＰＤＵにカプセル化された場合、ＵＥ１３０は、ＵＥ１３０によって正しく受信されたＲＬＣ  ＰＤＵに対応するＲＬＣ肯定応答（ＡＣＫ）をノードＢ１１０に送信することができる。したがって、たとえば、ＲＬＣ  ＰＤＵがＳＮ１〜５をもつ５つのＰＤＣＰ  ＰＤＵを含んでいるように構成された場合、ＵＥ１３０は、受信が成功したときにＲＬＣ  ＰＤＵに対するＡＣＫをノードＢ１１０にサブミットするように構成され、ＡＣＫに基づいて、ノードＢ１１０は、適切なメモリを解放し、ＰＤＣＰ  ＰＤＵ１〜５の再送信を控えることができる。
【００３１】
従来のワイヤレス通信のインプリメンテーションでは、それぞれのノードＢおよび／またはＵＥによって利用されるスケジューラアルゴリズムは、ハンドオーバ後および／または他の好適な時間において発生するステータスメッセージ（たとえば、ＰＤＣＰステータスメッセージ、ＲＬＣ  ＡＣＫ）に気づかない。代わりに、ワイヤレス通信システム中のそれぞれのエンティティは、それぞれの論理チャネルの優先ビットレート（ＰＢＲ）および／または１つまたは複数の同様の他の条件が満たされるように、それぞれの論理チャネルを介してデータを送信するように構成されることが理解できる。
【００３２】
したがって、具体例として、ノードＢ１１０が所与の量の情報を送信するようにＵＥ１３０に割り当てを行う場合、ＵＥ１３０におけるトークンバケットおよび／または別の好適なＭＡＣ層または他の構造は、それぞれのＤＲＢが消耗するまで、またはそれらのそれぞれの関連するＰＢＲが満たされるまで、ＤＲＢからデータを選択することによって、応答する送信を準備することができる。より詳細には、再び図３のダイヤグラム３００を参照すると、ＤＲＢ３１０が、空になるか、または、他のＤＲＢ３２０〜３３０の窮乏を防ぐようにＤＲＢ３１０のＰＢＲによって指定された、データの設定された量になるかのいずれかまで、ＵＥ１３０におけるＭＡＣエンティティは、最高優先順位ＤＲＢ３１０からデータを選択することができる。その後、ＤＲＢ３１０に関連する条件が満たされると、ＭＡＣエンティティは、ＤＲＢ３２０に移動してこのプロセスを反復するように構成できる。
【００３３】
したがって、複数のチャネルが送信のために利用されるとき、従来のスケジューリングアルゴリズムは、場合によっては、第１のチャネルのＰＢＲが満たされ、実質的にすべてのデータが第１のチャネルから出される前に、および／または他の条件が満たされたときに、第２のチャネルまたは後続のチャネルに対応するステータスメッセージを送信することを妨げることがあることが理解できる。その結果、ステータスメッセージの送信が遅延され、システム１００中のエンティティはステータスメッセージから実質的に利益を得ることができなくなる。たとえば、システム１００中の送信エンティティが、再送信を要求された消失しているデータに関係する１つまたは複数の報告を（たとえば、ＰＤＣＰステータスメッセージ、ＲＬＣ  ＡＣＫなどを介して）受信しない場合、送信エンティティは、場合によっては、データの実質的な部分の再送信を行わないことを選択することがあり、その結果、そのようなデータが消失し再送信が望ましい場合に、データの損失を生じることがある。代替的に、ステータス報告がない場合に、送信エンティティは、データのそれぞれの部分が受信されていないと仮定し、そのような部分の再送信を行うことができる。ただし、その結果、再送信されるデータのうちの少なくとも一部分が元の送信において正常に受信された場合にアップリンクおよび／またはダウンリンク上で不要な重複データの送信を生じることがあることが理解できる。さらに、送信エンティティは（１つまたは複数の）重複送信に関連するデータに関連するメモリを解放することができないので、このようにして重複送信を行うことが、送信エンティティにおける非効率的なメモリ使用状況をさらにもたらすことがあることが理解できる。
【００３４】
したがって、一態様によれば、システム１００中のノードＢ１１０、ＵＥ１３０、および／または任意の他の好適なエンティティは、データより先にステータスメッセージに優先順位を付け、送信するように、待ち行列に入れられた情報をインテリジェントにスケジュールするように構成できる。たとえば、ノードＢ１１０におけるデータ分析器１１４および／またはＵＥ１３０におけるデータ分析器１３４を利用して、ノードＢ１１０および／またはＵＥ１３０に対応するそれぞれのＤＲＢまたは論理チャネルに関連する情報を監視することができる。データ分析器１１４および／または１３４から得られた情報に基づいて、優先順位付けモジュール１１６および／または１３６は、ステータスメッセージ（たとえば、ＰＤＣＰステータスメッセージ、ＲＬＣ  ＡＣＫなど）に気づき、データを送信するかまたは論理チャネルに関連するＰＢＲを満たす前に、論理チャネルの少なくとも一部分からステータスメッセージを送信するように、送信機１１８および／または１３８における送信に優先順位を付けることができる。したがって、一般に上述のように、ステータスメッセージを受信するエンティティは、アップリンクおよび／またはダウンリンク上でのデータの重複送信および浪費される無線帯域幅を回避することができる。
【００３５】
一例では、優先順位付けモジュール１１６および／または１３６は、実質的にＰＤＣＰステータス報告のすべてを送信し終わるまで、ＰＤＣＰステータス報告が要求されるいかなる論理チャネル上でもデータの送信または再送信が行われないように、ハンドオーバ後に十分に高い優先順位をＰＤＣＰステータス報告に与えるようにすることができる。別の例では、優先順位付けモジュール１１６および／または１３６は、任意の関係するＤＲＢのＰＢＲを満たす前にそれぞれのＤＲＢ上でＰＤＣＰステータスメッセージの送信を可能にすることによって、非無限ＰＢＲを有するＤＲＢに関して動作することができる。代替的に、優先順位付けモジュール１１６および／または１３６は、それぞれのＤＲＢ上でデータのいずれかの送信を行う前にそれぞれのＤＲＢ上でＰＤＣＰステータスメッセージの送信を可能にすることによって、（たとえば、無限ＰＢＲに関連する）狭義の優先順位ベースで動作するＤＲＢに関して動作することができる。別の代替として、優先順位付けモジュール１１６および／または１３６は、シグナリング無線ベアラ（ＳＲＢ）などの任意の他の好適な論理チャネル上でのステータスメッセージの優先順位付けを可能にすることができる。
【００３６】
さらなる一例では、優先順位付けモジュール１１６および／または１３６は、ＰＤＣＰステータスメッセージに加えておよび／またはその代わりに、ＲＬＣステータスメッセージ（たとえば、１つまたは複数のＡＣＫおよび／または否定ＡＣＫ（ＮＡＣＫ）を含んでいるＲＬＣ  ＳＴＡＴＵＳメッセージ）に優先順位を付けるように構成できる。したがって、ノードＢ１１０とＵＥ１３０との間の通信セッション中に、および／または他の適切な時間において、データ分析器１１４および／または１３４、あるいは優先順位付けモジュール１１６および／または１３６は、他の論理チャネル上でデータの新しい送信および／または再送信に優先してＲＬＣステータスメッセージに優先順位を付けるために、それぞれのＲＬＣステータスメッセージの存在および／またはそれらのそれぞれのタイプ（たとえば、メッセージがＮＡＣＫ情報を含んでいるかどうか）に気づくことができる。したがって、ＲＬＣステータスメッセージを受信するエンティティは、通信セッションの進行中にできるだけ早く否定応答に気づき、それによって所与のチャネル上でデータが円滑に流れるようにすることができることが理解できる。さらに、このようにしてＲＬＣステータスメッセージに優先順位を付けることによって、最初に送信されたが、ステータス禁止タイマ、不十分なＵＬ／ＤＬ許可、および／または他の要因のために、受信エンティティにおいて確認されないデータなどの不要なデータの再送信を実質的に回避することができることが理解できる。
【００３７】
別の態様によれば、ノードＢ１１０におけるデータ分析器１１４および優先順位付けモジュール１１６、および／またはＵＥ１３０におけるデータ分析器１３４および優先順位付けモジュール１３６は、アプリケーションの限定されたサブセットに関連するステータスメッセージに優先順位を付けるように構成できる。したがって、例として、リアルタイムアプリケーション（たとえば、ボイスオーバーインターネットプロトコル（ＶＯＩＰ）アプリケーションなど）および／あるいは他の時間依存のアプリケーションまたは他のアプリケーションは、優先順位付けから免除されることがある。たとえば、所与のアプリケーションのために通信セッションを確立したときに、ノードＢ１１０および／またはＵＥ１３０は、アプリケーションが時間依存であるかどうかを判断することができ、肯定の判断をしたときに、アプリケーションに関して上述した一部または全部の優先順位付けを無効化することができる。
【００３８】
以下の図５〜図９に関して、ワイヤレス通信システムにおいてステータスメッセージを管理するために利用できるインプリメンテーションの具体例を示す。ただし、例は本質的に例示にすぎず、本明細書に添付の特許請求の範囲は、別段の明示的な規定がない限り、そのようなインプリメンテーションに限定されるものではないことを理解するべきである。
【００３９】
次に図５を参照すると、様々な態様による、１つまたは複数のステータスベアラ５４６を介してワイヤレス通信システムに関連するステータスメッセージに優先順位を付けるためのシステム５００のブロック図が示される。一例では、システム５００は、データ分析器５１０と優先順位付けモジュール５２０と送信機５３０とを含むことができ、それらは、システム１００中のノードＢ１１０および／またはＵＥ１３０に関して上述した方法と同様の方法で無線ベアラ５４０のセットと対話することができる。さらにシステム５００によって示すように、無線ベアラ５４０は、それぞれの制御またはシグナリングベアラ５４２と、それぞれのデータベアラ５４４とを含むことができる。一例では、（１つまたは複数の）制御ベアラ５４２を利用して、１つまたは複数のユーザと関連するネットワークとの間の構成コマンドおよび／または他の制御シグナリングを搬送し、（１つまたは複数の）データベアラ５４４を利用して、データのそれぞれの送信を可能にすることができる。
【００４０】
一態様によれば、システム５００は、１つまたは複数のステータスベアラ５４６をさらに利用することによって、関連するデータメッセージに優先するステータスメッセージの優先順位付けを可能にすることができる。たとえば、（１つまたは複数の）ステータスベアラ５４６は、データ分析器５１０および／または優先順位付けモジュール５２０によって管理される１つまたは複数の待ち行列が特にステータス情報に専用であるように、それらを含むことができる。したがって、（１つまたは複数の）データベアラ５４４の少なくとも一部分よりも高い程度の優先順位を（１つまたは複数の）ステータスベアラ５４６に許可することによって、システム５００は、データの送信が行われる前にステータス情報の送信を可能にすることができる。さらに、（１つまたは複数の）それぞれのステータスベアラ５４６に与えられる優先レベルは、（１つまたは複数の）それぞれの制御ベアラ５４２よりも高いか、等しいか、または低くなることがある。
【００４１】
（１つまたは複数の）ステータスベアラ５４６をインプリメントすることができるそれぞれの例示的な技法を、図６〜図７のダイヤグラム６００〜７００によって示す。最初に図６のダイヤグラム６００を参照すると、単一のステータスベアラ６１０が複数のＤＲＢ６２２〜６２６のセットとともに利用されるインプリメンテーションを示す。ダイヤグラム６００に示す一態様によれば、優先順位を付けるべき、それぞれのＤＲＢ６２２〜６２６に対応するステータスメッセージおよび／または他のメッセージを識別し、専用ステータスベアラ６１０に配置することができる。一例では、スケジューラが、ステータスベアラ６１０中のメッセージをＤＲＢ６２２〜６２６中のメッセージよりも優先順位が高いと見なすように、ステータスベアラ６１０を制御ベアラ、高優先順位データベアラなどとしてインプリメントすることができる。この優先順位判断に基づいて、スケジューラは、送信の許可を受信すると、ＤＲＢ６２２〜６２６からデータを削除するより前に、ステータスベアラ６１０を空にすることができる。
【００４２】
さらにダイヤグラム６００によって示されるように、複数のＤＲＢ６２２〜６２６に対応する共通のステータスベアラ６１０の使用を可能にするために、ステータスベアラ６１０中に配置されたステータスメッセージを、それらが参照するＤＲＢ６２２〜６２６のそれぞれのインジケータを用いて構成することができる。そのようなインジケータを利用することによって、ステータスベアラ６１０からステータスメッセージを受信するエンティティは、ステータスメッセージを適切なＤＲＢにおいて待ち行列に入れられることを必要とすることなしに、ステータスメッセージが参照するＤＲＢを判断することが可能になることが諒解できよう。
【００４３】
別の例では、ステータスメッセージがそれぞれ参照するＤＲＢ６２２〜６２６の相対的優先順位に対応する順序で、ステータスベアラ６１０を使用してステータスメッセージを待ち行列に入れることができる。したがって、たとえば、最高優先順位ＤＲＢから開始する優先順位の降順で、ＤＲＢ６２２〜６２６に対応するステータスメッセージをステータスベアラ６１０に配置することができる。
【００４４】
次に図７のダイヤグラム７００を参照すると、複数のステータスベアラ７１４、７２４、および／または７３４をそれぞれのＤＲＢ７１２、７２２、および／または７３２に対応して利用する代替のインプリメンテーションが示されている。ダイヤグラム７００に示すように、所与のＤＲＢ７１２、７２２、または７３２に関連する、優先順位を付けるべきステータスメッセージおよび／または他のメッセージを識別し、ＤＲＢに対応するステータスベアラ７１４、７２４、または７３４に配置することができるように、それぞれのステータスベアラ７１４、７２４、および７３４をそれぞれのＤＲＢ７１２、７２２、および７３２に対応するように構成することができる。その後、ステータスベアラ７１４、７２４、および／または７３４が、送信の許可を受信すると、ＤＲＢ７１２、７２２、および／または７３２からデータを削除するより前に空になるように、図６に関して上述した方法と同様の方法で、ステータスベアラ７１４、７２４、および７３４に高い優先レベルを割り当てることができる。
【００４５】
図８を参照すると、様々な態様による、それぞれの関連する無線ベアラ８２０の分析に基づくステータスメッセージの優先順位付けのためのシステム８００を示すブロック図が与えられている。図８が示すように、優先順位付けモジュール８１０を利用して、ＤＲＢ８２２〜８２６を含むことができる無線ベアラ８２０のセットに関連するステータスメッセージ、データ、および／または他の情報に優先順位を付けることができる。概して上述した様々な態様によれば、優先順位付けモジュール８１０によってそれぞれの情報に割り当てられた優先レベルに基づいて、送信機８３０を利用して、割り当てられた優先レベルに従って情報を送信することができる。システム８００に示す一態様によれば、優先順位付けモジュール８１０はベアラ分析モジュール８１２を含み、ベアラ分析モジュール８１２は、それぞれのＤＲＢ８２２〜８２６を検査して、前記ＤＲＢ８２２〜８２６がステータス情報を含んでいるかどうかを識別することができる。ステータス情報を識別すると、優先順位付けモジュール８１０および／またはベアラ分析モジュール８１２は、本明細書で概して説明するように、他のデータより先にステータス情報の送信を可能にすることができる。
【００４６】
ハンドオーバの後、ハンドオーバ完了メッセージに続く第１のパケットとしてＰＤＣＰステータスメッセージおよび／または他の好適なステータス情報をＤＲＢのセットを介して送信するように、ＵＥおよび／またはネットワークエンティティを構成することができることが諒解できよう。したがって、そのような送信を可能にするために、ＰＤＣＰステータスメッセージを、ステータスが送信される各ＤＲＢの第１の要素として位置決めすることができる。この位置決めの例を図３のＤＲＢ３１０〜３３０に関して見ることができる。この位置決めに基づいて、一例では、それぞれの関連するＤＲＢ８２２〜８２６においてステータスが存在するかどうかを判断するために、それぞれのＤＲＢ８２２〜８２６の第１の要素を調べるように、ベアラ分析モジュール８１２を構成することができる。
【００４７】
別の例では、システム８００によって利用されるそれぞれのステータスメッセージを、そのステータスメッセージを他のデータと区別するインジケータを含むように構成することができ、ベアラ分析モジュール８１２は、所与の要素がステータスまたはデータを備えるかどうかを判断するためにインジケータについてＤＲＢ８２２〜８２６のそれぞれの要素を調べることができる。例として、要素（たとえば、第１の位置）内のあらかじめ定義されたビット位置におけるビットを、要素がステータスを備える場合は第１の値になるように構成し、または要素が他のデータを備える場合は第２の値になるように構成することができる。したがって、それぞれの要素の優先順位付けを可能にするために、あらかじめ定義されたビット位置におけるそれぞれのＤＲＢ８２２〜８２６中の１つまたは複数の要素を読み取るように、ベアラ分析モジュール８１２を構成することができる。
【００４８】
次に図９を参照すると、それぞれの関連する無線ベアラ９２０に関係する記録された情報に基づくステータスメッセージの優先順位付けのためのシステム９００のブロック図が示されている。図９が示すように、システム９００は待ち行列モジュール９１０を含むことができ、ＵＥ、ネットワーク、および／または任意の他の好適なエンティティは、それぞれのＤＲＢ９２２〜９２６を含むことができる無線ベアラ９２０のセット内でデータ、ステータスメッセージ、および／または他の情報を待ち行列に入れるために待ち行列モジュール９１０を利用することができる。一例では、待ち行列モジュール９１０がステータス情報をそれぞれの所与のＤＲＢ９２２〜９２６に配置した場合、（１つまたは複数の）ＤＲＢ９２２〜９２６上のステータス情報の存在をステータス報告モジュール９３０によって優先順位付けモジュール９４０に報告することができる。したがって、ステータス報告モジュール９３０によって与えられた報告に基づいて、優先順位付けモジュール９４０は、ステータス情報を含んでいるそれぞれのＤＲＢ９２２〜９２６を判断し、他のデータの送信より前に送信機９５０によるステータス情報の送信を可能にすることができる。
【００４９】
一態様によれば、ステータス情報を含んでいるそれぞれのＤＲＢ９２２〜９２６の記録を与えるのに任意の好適な方法でステータス報告モジュール９３０をインプリメントすることができる。具体例として、ＲＬＣ層エンティティとしてインプリメントされる優先順位付けモジュール９４０にＰＤＣＰステータスメッセージの存在を報告するＰＤＣＰ層エンティティとして、ステータス報告モジュール９３０をインプリメントすることができる。
【００５０】
さらに、ステータス報告モジュール９３０は、様々な方法でそれぞれのＤＲＢ９２２〜９２６上のステータス情報の存在を示すことができることが諒解できよう。たとえば、ステータス報告モジュール９３０は、ＤＲＢ９２２〜９２６にそれぞれ対応する変数のセットを維持することができ、優先順位付けモジュール９４０はステータス情報を含んでいるＤＲＢ９２２〜９２６を識別するためにそれぞれの変数を調べることができる。追加または代替として、ステータス報告モジュール９３０および優先順位付けモジュール９４０は、ステータス情報を含んでいるＤＲＢのリストを維持することができる。たとえば、所与のＤＲＢ９２２〜９２６においてステータス情報を待ち行列に入れると、ステータス報告モジュール９３０は、ステータス情報が待ち行列に入れられたＤＲＢを追加するようにリストを更新することができる。その後、ＤＲＢにおけるステータス情報を送信すると、優先順位付けモジュール９４０は、リストからのＤＲＢの削除を可能にすることができる。別の例では、ステータス報告モジュール９３０が、ＤＲＢ９２２〜９２６がステータス情報を含んでいないことを示す場合、優先順位付けモジュール９４０は、本明細書で説明し、および／または当技術分野で一般的に知られている１つまたは複数の技法を利用して、１つまたは複数のＤＲＢ９２２〜９２６からのデータの送信を調整することができる。
【００５１】
次に図１０〜図１４を参照すると、本明細書に記載の様々な態様に従って実行できる方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法をインプリメントするために、図示のすべての行為が必要とされるわけではない。
【００５２】
図１０を参照すると、ワイヤレス通信システムにおいてステータス情報の送信を管理するための方法１０００が示されている。方法１０００は、たとえば、ｅＮＢ（たとえば、ノードＢ１１０）、ＵＥ（たとえば、ＵＥ１３０）、および／または任意の他の適切なネットワークデバイスによって実行できることを諒解されたい。方法１０００は、ブロック１００２において開始し、（たとえば、ハンドオーバコーディネータ１１２または１３２によって調整されるハンドオーバに関する）１つまたは複数の通信チャネル上で送信すべきデータを識別する。次に、ブロック１００４において、方法１０００を実行するエンティティは、識別されたデータのうち、それぞれの通信チャネルに対応するステータス情報の位置を（たとえば、データ分析器１１４または１３４を使用して）特定しようと試みる。
【００５３】
ブロック１００６において、ブロック１００４におけるステータス情報（たとえば、ＡＣＫ／ＮＡＣＫ情報、ＰＤＣＰステータスメッセージなどを示すＲＬＣ  ＳＴＡＴＵＳメッセージ）の位置を特定しようとする試みの結果、識別されたデータ中にステータス情報のロケーションが存在しているかどうかの判断を（たとえば、データ分析器１１４または１３４および／あるいは優先順位付けモジュール１１６または１３６によって）行う。ステータス情報がデータ中に存在することがわかった場合、方法１０００はブロック１００８に進み、（たとえば、優先順位付けモジュール１１６または１３６によって制御されるように）それぞれの通信チャネル上でのデータの送信より前に、ステータス情報に対応するそれぞれの通信チャネル上で位置を特定されたステータス情報を（たとえば、送信機１１８または１３８によって）送信する。ブロック１００８において説明した行為を完了すると、またはブロック１００６において否定判断すると、方法１０００はブロック１０１０において終了し、（たとえば、ＰＢＲ定義優先順位、狭義の優先順位など）所定の優先順位方式に従ってそれぞれ対応する通信チャネル上でデータを送信する。
【００５４】
図１１に、ワイヤレス通信環境においてステータスシグナリングのための１つまたは複数の無線ベアラ（たとえば、ステータスベアラ５４６）を維持し、利用するための方法１１００を示す。方法１１００は、たとえば、基地局、端末、および／または任意の他の好適なネットワークデバイスによって実行できる。方法１１００はブロック１１０２において開始し、１つまたは複数のデータベアラ（たとえば、データベアラ５４４）を識別する。次に、ブロック１１０４において、ブロック１１０２において識別されたデータベアラに関連してそれぞれのステータスメッセージングのために利用される１つまたは複数のステータスベアラを識別する。一例では、ブロック１１０４において識別されるステータスベアラは、（たとえば、ダイヤグラム６００に示す）データベアラのセットに共通であり、（たとえば、ダイヤグラム７００に示す）１つまたは複数の個々のデータベアラに割り当て、および／または任意の他の適切な方法で構成することができる。
【００５５】
ブロック１１０２〜１１０４において、それぞれのデータベアラおよびステータスベアラを識別すると、方法１１００はブロック１１０６に進み、ステータスメッセージングの送信のためのトリガイベント（たとえば、ボイス呼および／または別の好適なタイプの通信セッションに関連するＲＬＣ  ＳＴＡＴＵＳトリガ、ハンドオフに関連するＰＤＣＰステータストリガなど）を識別する。次いで、方法１１０６はブロック１１０８に進み、ブロック１１０４において識別された（１つまたは複数の）ステータスベアラ上に情報が存在するかどうかを（たとえば、データ分析器５１０によって）判断する。そのような情報が存在することがわかった場合、方法１１００はブロック１１１０に進み、（たとえば、優先順位付けモジュール５２０によって制御されるように）それぞれのデータベアラ上でのデータの送信より前に（１つまたは複数の）ステータスベアラ上に存在する情報を（たとえば、送信機５３０によって）送信する。ブロック１１１０において説明した送信を完了すると、またはブロック１１０８において否定判断すると、方法１１００はブロック１１１２において終了し、ブロック１１０２において識別されたそれぞれのデータベアラ上のデータを送信スケジュールに従って送信する。
【００５６】
図１２を参照すると、それぞれのデータベアラ上の待ち行列に入れられたステータス情報を区別し、優先順位を付けるために、それぞれのデータベアラ（たとえば、ＤＲＢ８２２〜８２６）を分析するための方法１２００が示されている。方法１２００は、たとえば、アクセスポイント、モバイル端末、および／または任意の他の適切なネットワークデバイスによって実行できることを諒解されたい。方法１２００はブロック１２０２において開始し、１つまたは複数のＤＲＢを識別する。次に、ブロック１２０４において、ステータスシグナリングの送信のためのトリガイベントを識別する。次いで、方法１２００はブロック１２０６に進み、ブロック１２０２において識別されたそれぞれのＤＲＢを（たとえば、優先順位付けモジュール８１０に関連するベアラ分析モジュール８１２によって）分析して、その上に待ち行列に入れられたステータスシグナリングを有するＤＲＢを識別する。具体例として、１つまたは複数のあらかじめ定義されたビット位置における所与のＤＲＢ内のそれぞれの位置（たとえば、ＤＲＢ上の第１のメッセージ内の第１のビット位置）における、データをステータスシグナリングと区別する情報をモニタすることによってブロック１２０６において説明した分析を実行する。その後、方法１２００はブロック１２０８に進み、ブロック１２０６において識別されたそれぞれのＤＲＢから待ち行列に入れられたステータスシグナリングを、ステータスシグナリングを含むものとして（たとえば、送信機８３０を使用して）送信する。次いで、方法１２００はブロック１２１０において終了し、ブロック１２０８において実行されたステータス送信の後に、ブロック１２０２において識別されたＤＲＢ上に待ち行列に入れられたデータを送信する。
【００５７】
次に図１３を参照すると、優先順位付き送信のための無線ベアラのセットのうちのステータス情報を追跡するための方法１３００のフローチャートが示されている。方法１３００は、ワイヤレス通信システムにおけるｅＮＢ、ＵＥ、および／または任意の他の適切なエンティティによって実行できることが諒解できよう。方法１３００はブロック１３０２において開始し、（たとえば、無線ベアラ９２０に対応する）送信待ち行列と、（たとえば、ステータス報告モジュール９３０および／または優先順位付けモジュール９４０によって維持される）ステータス情報インジケータのセットとを識別する。
【００５８】
ブロック１３０２において説明した行為を実行した後、方法１３００は、コネクタＡにおいてブロック１３０４またはブロック１３１０に分岐する。したがって、ブロック１３０４において新しいステータス情報を識別し、ブロック１３０６において、識別されたステータス情報を送信待ち行列に（たとえば、待ち行列モジュール９１０によって）追加する。その後、ブロック１３０８において、識別されたステータス情報のインジケータをブロック１３０２において識別されたインジケータのセットに追加する。ブロック１３０８において説明した行為を完了すると、方法１３００は、ブロック１３０４またはブロック１３１０に分岐するコネクタＡに戻る。
【００５９】
ブロック１３１０において、ステータス情報の送信のためのトリガイベントを識別する。その後、ブロック１３１２において、ブロック１３０２において識別されたステータス情報インジケータのセットが空かどうかを判断する。インジケータセットが空の場合、方法１３００はブロック１３１４に進み、ブロック１３０２において識別された送信待ち行列中に与えられたデータを送信する。ブロック１３１４において説明した行為の後、方法１３００はコネクタＡに戻る。代替的に、ブロック１３１２においてインジケータセットが空でないことを判断すると、方法１３００は、代わりにブロック１３１６に進み、ステータス情報インジケータのセットによって示されるステータス情報のうちの少なくとも一部分を送信し、ブロック１３１８に進み、ブロック１３１６において送信されたステータス情報に対応するインジケータをインジケータセットから削除する。ブロック１３１６〜１３１８において説明した行為を完了した後、方法１３００はコネクタＡに戻る。
【００６０】
図１４に、ワイヤレス通信システムにおいてステータスシグナリングの送信を可能にする装置１４００を示す。装置１４００は機能ブロックを含むものとして表されており、その機能ブロックは、プロセッサ、ソフトウェア、またはそれらの組合せ（たとえば、ファームウェア）によってインプリメントされる機能を表す機能ブロックとすることができることを諒解されたい。装置１４００は、ノードＢ（たとえば、ノードＢ１１０）、ワイヤレス端末（たとえば、ＵＥ１３０）、および／または任意の他の好適なネットワークデバイスによってインプリメントでき、１つまたは複数の論理チャネルを介して送信すべき情報を識別するためのモジュール１４０２と、識別された情報をそれぞれのステータスメッセージおよびデータに分類するためのモジュール１４０４と、ステータス送信のためのトリガイベントを検出すると、ステータスメッセージをデータより前に送信するように、識別された情報に優先順位を付けるためのモジュール１４０６と、を含むことができる。
【００６１】
図１５は、本明細書で説明する機能の様々な態様をインプリメントするために利用できるシステム１５００のブロック図である。一例では、システム１５００は、基地局またはノードＢ１５０２を含む。図示のように、ノードＢ１５０２は、１つまたは複数の受信（Ｒｘ）アンテナ１５０６を介して１つまたは複数のＵＥ１５０４から（１つまたは複数の）信号を受信し、１つまたは複数の送信（Ｔｘ）アンテナ１５０８を介して１つまたは複数のＵＥ１５０４にその信号を送信することができる。さらに、ノードＢ１５０２は、（１つまたは複数の）受信アンテナ１５０６から情報を受信する受信機１５１０を備えることができる。一例では、受信機１５１０は、受信した情報を復調する復調器（Ｄｅｍｏｄ）１５１２に動作可能に結合できる。次いで、復調されたシンボルは、プロセッサ１５１４によって分析できる。プロセッサ１５１４は、コードクラスタ、アクセス端末割り当て、それに関するルックアップテーブル、固有のスクランブル系列に関する情報、および／または他の適切なタイプの情報を記憶することができるメモリ１５１６に結合できる。さらに、ノードＢ１５０２は、方法１０００〜１３００ならびに／または他の同様のおよび適切な方法を実行するために、プロセッサ１５１４を採用することができる。一例では、ノードＢ１５０２はまた、送信機１５２０によって（１つまたは複数の）送信アンテナ１５０８を介して送信するために信号を多重化することができる変調器１５１８を含むことができる。
【００６２】
図１６は、本明細書で説明する機能の様々な態様をインプリメントするために利用できる別のシステム１６００のブロック図である。一例では、システム１６００はモバイル端末１６０２を含む。図示のように、モバイル端末１６０２は、１つまたは複数のアンテナ１６０８を介して、１つまたは複数の基地局１６０４から（１つまたは複数の）信号を受信し、１つまたは複数の基地局１６０４にその信号を送信することができる。さらに、モバイル端末１６０２は、（１つまたは複数の）アンテナ１６０８から情報を受信する受信機１６１０を備えることができる。一例では、受信機１６１０は、受信した情報を復調する復調器（Ｄｅｍｏｄ）１６１２に動作可能に結合できる。次いで、復調されたシンボルは、プロセッサ１６１４によって分析できる。プロセッサ１６１４は、モバイル端末１６０２に関するデータおよび／またはプログラムコードを記憶することができるメモリ１６１６に結合できる。さらに、モバイル端末１６０２は、方法１０００〜１３００、ならびに／または他の同様のおよび適切な方法を実行するために、プロセッサ１６１４を採用することができる。モバイル端末１６０２はまた、送信機１６２０によって（１つまたは複数の）アンテナ１６０８を介して送信するために信号を多重化することができる変調器１６１８を含むことができる。
【００６３】
次に図１７を参照すると、様々な態様によるワイヤレス多元接続通信システムの図が与えられている。一例では、アクセスポイント１７００（ＡＰ）が複数のアンテナグループを含む。図１７に示すように、１つのアンテナグループはアンテナ１７０４および１７０６を含み、別のアンテナグループはアンテナ１７０８および１７１０を含み、別のアンテナグループはアンテナ１７１２および１７１４を含むことができる。図１７では、アンテナグループごとに２つのアンテナのみが示されているが、アンテナグループごとにより多いまたはより少ないアンテナが利用できることを諒解されたい。別の例では、アクセス端末１７１６はアンテナ１７１２および１７１４と通信中とすることができ、アンテナ１７１２および１７１４は、順方向リンク１７２０上でアクセス端末１７１６に情報を送信し、逆方向リンク１７１８上でアクセス端末１７１６から情報を受信する。追加および／または代替として、アクセス端末１７２２はアンテナ１７０６および１７０８と通信中とすることができ、アンテナ１７０６および１７０８は、順方向リンク１７２６上でアクセス端末１７２２に情報を送信し、逆方向リンク１７２４上でアクセス端末１７２２から情報を受信する。周波数分割複信システムでは、通信リンク１７１８、１７２０、１７２４および１７２６は、通信のための異なる周波数を使用することができる。たとえば、順方向リンク１７２０は、逆方向リンク１７１８によって使用される周波数とは異なる周波数を使用することができる。
【００６４】
アンテナの各グループ、および／またはアンテナが通信するために設計されたエリアは、アクセスポイントのセクタと呼ばれることがある。一態様によれば、アンテナグループは、アクセスポイント１７００によってカバーされるエリアのセクタ内でアクセス端末に通信するように設計できる。順方向リンク１７２０および１７２６上の通信では、アクセスポイント１７００の送信アンテナは、異なるアクセス端末１７１７および１７２２に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００６５】
アクセスポイント、たとえばアクセスポイント１７００は、端末と通信するために使用される固定局とすることができ、基地局、ｅＮＢ、アクセスネットワーク、および／または他の好適な用語で呼ばれることもある。さらに、アクセス端末、たとえばアクセス端末１７１６または１７２２は、モバイル端末、ユーザ機器、ワイヤレス通信デバイス、端末、ワイヤレス端末、および／または他の適切な用語で呼ばれることもある。
【００６６】
次に図１８を参照すると、本明細書で説明する様々な態様が機能することができる、例示的なワイヤレス通信システム１８００を示すブロック図が与えられている。一例では、システム１８００は、送信機システム１８１０と受信機システム１８５０とを含む多入力多出力（ＭＩＭＯ）システムである。ただし、送信機システム１８１０および／または受信機システム１８５０は、たとえば、（たとえば、基地局上の）複数の送信アンテナが１つまたは複数のシンボルストリームを単一のアンテナデバイス（たとえば、移動局）に送信することができる、多入力単出力システムにも適用できることを諒解されたい。さらに、本明細書で説明する送信機システム１８１０および／または受信機システム１８５０の態様は、単出力単入力アンテナシステムに関して利用できることを諒解されたい。
【００６７】
一態様によれば、送信機システム１８１０において、いくつかのデータストリームのトラフィックデータがデータソース１８１２から送信（ＴＸ）データプロセッサ１８１４に供給される。一例では、各データストリームは、次いで、それぞれの送信アンテナ１８２４を介して送信できる。さらに、ＴＸデータプロセッサ１８１４は、符号化データを供給するために、それぞれのデータストリーム用に選択された特定の符号化方式に基づいて、データストリームごとにトラフィックデータをフォーマット化し、符号化し、インタリーブすることができる。一例では、各データストリームの符号化データは、次いで、ＯＦＤＭ技法を使用してパイロットデータで多重化できる。パイロットデータは、たとえば、既知の方法で処理される既知のデータパターンとすることができる。さらに、パイロットデータは、チャネル応答を推定するために受信機システム１８５０において使用できる。送信機システム１８１０に戻ると、各データストリームの多重化されたパイロットデータおよび符号化データは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）できる。一例では、各データストリームのデータレート、符号化、および変調は、プロセッサ１８３０上で実行される命令および／またはプロセッサ１８３０によって与えられる命令によって判断できる。
【００６８】
次に、すべてのデータストリームの変調シンボルはＴＸプロセッサ１８２０に供給でき、ＴＸプロセッサ１８２０は、（たとえば、ＯＦＤＭ用に）変調シンボルをさらに処理することができる。次いで、ＴＸ  ＭＩＭＯプロセッサ１８２０は、ＮＴ個の変調シンボルストリームをＮＴ個のトランシーバ１８２２ａ〜１８２２ｔに供給することができる。一例では、各トランシーバ１８２２は、それぞれのシンボルストリームを受信し、処理して、１つまたは複数のアナログ信号を供給することができる。次いで、各トランシーバ１８２２は、それらのアナログ信号をさらに調整（たとえば、増幅、フィルタリング、およびアップコンバート）して、ＭＩＭＯチャネルを介して送信するのに適した変調信号を供給することができる。したがって、トランシーバ１８２２ａ〜１８２２ｔからのＮＴ個の変調信号は、次いで、それぞれ、ＮＴ個のアンテナ１８２４ａ〜１８２４ｔから送信できる。
【００６９】
別の態様によれば、送信された変調信号は、ＮＲ個のアンテナ１８５２ａ〜１８５２ｒによって受信機システム１８５０において受信できる。次いで、各アンテナ１８５２から受信した信号は、それぞれのトランシーバ１８５４に供給できる。一例では、各トランシーバ１８５４は、それぞれの受信信号を調整（たとえば、フィルタリング、増幅、およびダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データプロセッサ１８６０は、特定の受信機処理技法に基づいてＮＲ個のトランシーバ１８５４からＮＲ個の受信シンボルストリームを受信し、処理して、ＮＴ個の「検出」シンボルストリームを供給することができる。一例では、各検出シンボルストリームは、対応するデータストリームに関して送信される変調シンボルの推定であるシンボルを含むことができる。次いで、ＲＸプロセッサ１８６０は、各検出シンボルストリームを少なくとも部分的に復調し、デインタリーブし、復号することによって、各シンボルストリームを処理して、対応するデータストリームに関するトラフィックデータを回復することができる。したがって、ＲＸデータプロセッサ１８６０による処理は、送信機システム１８１０においてＴＸ  ＭＩＭＯプロセッサ１８２０およびＴＸデータプロセッサ１８１６によって実行される処理を補足することができる。ＲＸプロセッサ１８６０は、さらに、処理されたシンボルストリームをデータシンク１８６４に供給することができる。
【００７０】
一態様によれば、ＲＸプロセッサ１８６０によって生成されるチャネル応答推定は、受信機において空間／時間処理を実行し、電力レベルを調整し、変調レートまたは方式を変更し、および／あるいは他の適切なアクションを実行するために使用できる。さらに、ＲＸプロセッサ１８６０は、たとえば、検出シンボルストリームの信号対雑音干渉比（ＳＮＲ）などのチャネル特性をさらに推定することができる。次いで、ＲＸプロセッサ１８６０は、推定されたチャネル特性をプロセッサ１８７０に供給することができる。一例では、ＲＸプロセッサ１８６０および／またはプロセッサ１８７０は、システムに関する「動作」ＳＮＲの推定をさらに導出することができる。次いで、プロセッサ１８７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ１８１８によって処理し、変調器１８８０によって変調し、トランシーバ１８５４ａ〜１８５４ｒによって調整し、送信機システム１８１０に返信することができる。さらに、受信機システム１８５０におけるデータソース１８１６は、ＴＸデータプロセッサ１８１８によって処理される追加のデータを与えることができる。
【００７１】
送信機システム１８１０に戻ると、次いで、受信機システム１８５０からの変調信号は、アンテナ１８２４によって受信し、トランシーバ１８２２によって調整し、復調器１８４０によって復調し、ＲＸデータプロセッサ１８４２によって処理して、受信機システム１８５０によって報告されたＣＳＩを回復することができる。一例では、報告されたＣＳＩは、次いで、１つまたは複数のデータストリームのために使用されるべきデータレートならびに符号化および変調方式を判断するために、プロセッサ１８３０に供給し、使用することができる。次いで、判断された符号化および変調方式は、受信機システム１８５０への後の送信における量子化および／または使用のために、トランシーバ１８２２に供給できる。追加および／または代替として、報告されたＣＳＩは、ＴＸデータプロセッサ１８１４およびＴＸ  ＭＩＭＯプロセッサ１８２０のための様々な制御を生成するためにプロセッサ１８３０によって使用できる。別の例では、ＲＸデータプロセッサ１８４２によって処理されるＣＳＩおよび／または他の情報は、データシンク１８４４に供給できる。
【００７２】
一例では、送信機システム１８１０におけるプロセッサ１８３０および受信機システム１８５０におけるプロセッサ１８７０は、それらのそれぞれのシステムにおいて動作を指令する。さらに、送信機システム１８１０におけるメモリ１８３２および受信機システム１８５０におけるメモリ１８７２は、それぞれ、プロセッサ１８３０および１８７０によって使用されるプログラムコードおよびデータの記憶域を与えることができる。さらに、受信機システム１８５０において、ＮＲ個の受信信号を処理して、ＮＴ個の送信シンボルストリームを検出するために、様々な処理技法が使用できる。これらの受信機処理技法は、等化技法とも呼ばれることがある空間および時空間受信機処理技法、ならびに／あるいは「逐次干渉消去」または「逐次消去」受信機処理技法とも呼ばれることがある「逐次ヌリング／等化および干渉消去」受信機処理技法を含むことができる。
【００７３】
本明細書で説明した態様は、ハードウェア、ソフトウェア、ファームウェア、ミドルウェア、マイクロコード、またはそれらの任意の組合せでインプリメントできることを理解されたい。システムおよび／または方法は、ソフトウェア、ファームウェア、ミドルウェアまたはマイクロコード、プログラムコードまたはコードセグメントにおいてインプリメントした場合、記憶コンポーネントなどの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【００７４】
ソフトウェアインプリメントの場合、本明細書で説明する技法は、本明細書で説明する機能を実行するモジュール（たとえば、プロシージャ、関数など）を用いてインプリメントできる。ソフトウェアコードは、メモリユニットに記憶し、プロセッサによって実行することができる。メモリユニットは、プロセッサの内部またはプロセッサの外部にインプリメントでき、その場合、当技術分野で知られているように様々な手段によってプロセッサに通信可能に結合できる。
【００７５】
上記の説明は１つまたは複数の態様の例を含む。もちろん、上述の態様について説明する目的で、コンポーネントまたは方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
なお、以下に、出願当初の特許請求の範囲に記載された発明を付記する。
［Ｃ１］
１つまたは複数の通信チャネルを介して送信すべきデータを識別することと、
前記識別されたデータのうち、それぞれの通信チャネルに関連するステータス情報の位置を特定することと、
ステータス情報を送信すべきトリガイベントを検出することと、
残りの識別されたデータのうちの少なくとも一部分の送信より前に前記トリガイベントを検出すると、前記位置を特定されたステータス情報を送信することと、
を備える方法。
［Ｃ２］
前記ステータス情報は、それぞれの通信チャネルに関連する１つまたは複数のＰＤＣＰ（Packet Data Convergence Protocol）ステータスメッセージを備える、
Ｃ１に記載の方法。
［Ｃ３］
前記検出することは、ワイヤレス通信システムにおいてそれぞれのセル間のハンドオーバに関連するトリガイベントを検出することを備える、
Ｃ２に記載の方法。
［Ｃ４］
前記送信することは、前記ハンドオーバのためのターゲットセルへのハンドオーバ完了メッセージの通信に続く第１の送信中にそれぞれのＰＤＣＰステータスメッセージを送信することを備える、
Ｃ３に記載の方法。
［Ｃ５］
前記ステータス情報は、肯定応答（ＡＣＫ）情報または否定ＡＣＫ（ＮＡＣＫ）情報のうちの少なくとも１つを備える１つまたは複数の無線リンク制御（ＲＬＣ）メッセージを備える、
Ｃ１に記載の方法。
［Ｃ６］
前記検出することは、ワイヤレス通信ネットワークと前記ワイヤレス通信ネットワークによってサービスされるユーザとの間の通信セッションに関連するトリガイベントを検出することを備える、
Ｃ５に記載の方法。
［Ｃ７］
前記方法は、ステータス情報に対応する少なくとも１つの送信待ち行列と、それぞれの通信チャネルを介して送信すべき残りの識別されたデータに対応するそれぞれの送信待ち行列とを備える送信待ち行列のセットを識別することをさらに備え、
前記位置を特定することは、位置を特定されたステータス情報を、ステータス情報に対応する少なくとも１つの送信待ち行列に配置することをさらに備え、
前記送信することは、残りの識別されたデータに対応するそれぞれの送信待ち行列に関連する情報の送信より前に、ステータス情報に対応する前記少なくとも１つの送信待ち行列に配置された情報を送信することを備える、
Ｃ１に記載の方法。
［Ｃ８］
送信待ち行列のセットを前記識別することは、複数の通信チャネルを介して送信すべきステータス情報に対応する共通の送信待ち行列を識別することを備える、
Ｃ７に記載の方法。
［Ｃ９］
送信待ち行列のセットを前記識別することは、残りの識別されたデータのためのそれぞれの送信待ち行列に関連するステータス情報に対応する送信待ち行列のセットを識別することを備える、
Ｃ７に記載の方法。
［Ｃ１０］
前記方法は、それぞれの識別されたデータをステータス情報または残りの識別されたデータとして識別するインジケータを用いて、前記データを構成することをさらに備え、
前記位置を特定することは、前記識別されたデータのうちの少なくとも一部分を備えたそれぞれのインジケータを分析することと、前記それぞれのインジケータに少なくとも部分的に基づいて前記分析されたデータ内でステータス情報の位置を特定することと、
を備える、Ｃ１に記載の方法。
［Ｃ１１］
前記位置を特定することは、前記トリガイベントに続くそれぞれの通信チャネルを介して行われる第１の送信中に送信されるように指示されたそれぞれのデータ要素を備えたインジケータを分析することをさらに備える、
Ｃ１０に記載の方法。
［Ｃ１２］
前記構成することは、データ要素内の所定のビット位置におけるビットを、前記データ要素がステータス情報を備えることを判断すると第１の値に設定し、または前記データ要素がステータス情報を備えないことを判断すると第２の値に設定することを備える、
Ｃ１０に記載の方法。
［Ｃ１３］
前記位置を特定することは、ステータス情報が存在する通信チャネルのリストを識別することと、前記識別されたリストに少なくとも部分的に基づいてそれぞれの通信チャネルに関連するステータス情報の位置を特定することと、を備え、
前記送信することは、それぞれのリストされたステータス情報を、前記ステータス情報が存在する１つまたは複数の通信チャネルを介して送信することを備える、
Ｃ１に記載の方法。
［Ｃ１４］
前記ステータス情報の送信より前にステータス情報が望まれない少なくとも１つのアプリケーションに対応するステータス情報を廃棄することをさらに備える、
Ｃ１に記載の方法。
［Ｃ１５］
前記方法は、ワイヤレス通信ネットワーク中のアクセスポイントによって実行される、
Ｃ１に記載の方法。
［Ｃ１６］
前記方法は、ユーザ機器ユニット（ＵＥ）によって実行される、
Ｃ１に記載の方法。
［Ｃ１７］
１つまたは複数の無線ベアラに関係するデータと、ステータスメッセージまたはデータのうちの少なくとも１つを備える、前記１つまたは複数の無線ベアラに関連するそれぞれの情報とを記憶するメモリと、
前記１つまたは複数の無線ベアラに関連する前記情報のうち、それぞれのステータスメッセージを識別し、前記それぞれのステータスメッセージが前記１つまたは複数の無線ベアラに関連するデータより前に送信されるように、前記ステータスメッセージに優先順位を付けるように構成されたプロセッサと、
を備えるワイヤレス通信装置。
［Ｃ１８］
前記ステータスメッセージは、それぞれの無線ベアラに関連するＰＤＣＰ（Packet Data Convergence Protocol）ステータスメッセージを備える、
Ｃ１７に記載のワイヤレス通信装置。
［Ｃ１９］
前記プロセッサは、ワイヤレス通信システムにおけるそれぞれのセル間のハンドオーバ中にそれぞれのステータスメッセージを送信するようにさらに構成された、
Ｃ１７に記載のワイヤレス通信装置。
［Ｃ２０］
前記ステータスメッセージは、肯定応答（ＡＣＫ）情報または否定ＡＣＫ（ＮＡＣＫ）情報のうちの少なくとも１つを備える無線リンク制御（ＲＬＣ）メッセージを備える、
Ｃ１７に記載のワイヤレス通信装置。
［Ｃ２１］
前記プロセッサは、前記ワイヤレス通信装置とワイヤレス通信ネットワークまたはユーザ機器ユニット（ＵＥ）のうちの少なくとも１つとの間の通信セッション中に、それぞれのステータスメッセージを送信するようにさらに構成された、
Ｃ１７に記載のワイヤレス通信装置。
［Ｃ２２］
前記メモリは、それぞれのデータ要素に関連する１つまたは複数のデータ無線ベアラ（ＤＲＢ）と、それぞれのステータスメッセージに関連する１つまたは複数のステータス無線ベアラとに関係するデータをさらに記憶し、
前記プロセッサは、それぞれのステータス無線ベアラに関連するステータスメッセージが前記１つまたは複数のＤＲＢに関連するデータより前に送信されるように、それぞれの無線ベアラに優先順位を付けるようにさらに構成された、
Ｃ１７に記載のワイヤレス通信装置。
［Ｃ２３］
前記１つまたは複数のステータス無線ベアラは、複数のＤＲＢのためのステータスメッセージに関連する共通のステータス無線ベアラを備える、
Ｃ２２に記載のワイヤレス通信装置。
［Ｃ２４］
前記１つまたは複数のステータス無線ベアラは、対応するＤＲＢにそれぞれ関連するステータス無線ベアラのセットを備える、
Ｃ２２に記載のワイヤレス通信装置。
［Ｃ２５］
それぞれのデータ要素とステータスメッセージとが、前記それぞれのデータ要素と前記ステータスメッセージとを識別するインジケータを備え、前記プロセッサは、少なくとも部分的に、前記１つまたは複数の無線ベアラに関連するそれぞれのデータ要素とステータスメッセージとに関連するインジケータを分析することによって、前記１つまたは複数の無線ベアラに関連する前記情報のうち、それぞれのステータスメッセージを識別するようにさらに構成された、
Ｃ１７に記載のワイヤレス通信装置。
［Ｃ２６］
それぞれのインジケータは、データ要素またはステータスメッセージ内の所定のビット位置をあらかじめ定義された値に設定することによって前記データ要素または前記ステータスメッセージに対して設定され、前記あらかじめ定義された値は、データ要素を示す第１の値またはステータスメッセージを示す第２の値である、
Ｃ２５に記載のワイヤレス通信装置。
［Ｃ２７］
前記メモリは、ステータスメッセージが位置を特定される無線ベアラのセットに関係するデータをさらに記憶し、前記プロセッサは、無線ベアラの前記セット中の前記無線ベアラ上に位置を特定されたそれぞれのステータスメッセージに優先順位を付けるようにさらに構成された、
Ｃ１７に記載のワイヤレス通信装置。
［Ｃ２８］
前記プロセッサは、ステータスメッセージがユーティリティのしきい値レベルを下回っていることが判断されるそれぞれの適用例に関係するステータスメッセージを廃棄するようにさらに構成された、
Ｃ１７に記載のワイヤレス通信装置。
［Ｃ２９］
前記ワイヤレス通信装置は、ノードＢである、
Ｃ１７に記載のワイヤレス通信装置。
［Ｃ３０］
前記ワイヤレス通信装置は、ワイヤレス端末である、
Ｃ１７に記載のワイヤレス通信装置。
［Ｃ３１］
ワイヤレス通信システムにおいて動作可能な装置であって、
１つまたは複数の論理チャネルを介して送信すべき情報を識別するための手段と、
前記識別された情報をステータスシグナリングとデータとに分類するための手段と、
ステータス送信のためのトリガイベントを検出すると、ステータスシグナリングとして分類された情報がデータとして分類された情報より前に送信されるように、前記識別された情報に優先レベルを割り当てるための手段と、
を備える装置。
［Ｃ３２］
前記ステータスシグナリングは、それぞれの論理チャネルに関連する１つまたは複数のＰＤＣＰ（Packet Data Convergence Protocol）ステータスメッセージを備える、
Ｃ３１に記載の装置。
［Ｃ３３］
前記ステータスシグナリングは、肯定応答（ＡＣＫ）情報または否定ＡＣＫ（ＮＡＣＫ）情報のうちの少なくとも１つを備える１つまたは複数の無線リンク制御（ＲＬＣ）メッセージを備える、
Ｃ３１に記載の装置。
［Ｃ３４］
前記トリガイベントは、ワイヤレス通信システムにおけるそれぞれのセル間のハンドオーバ、あるいは前記装置とワイヤレス通信ネットワークまたはモバイル端末のうちの少なくとも１つとの間の通信セッションのうちの少なくとも１つに関連する、
Ｃ３１に記載の装置。
［Ｃ３５］
前記識別するための手段は、その上に待ち行列に入れられたそれぞれのデータを有する１つまたは複数のデータ無線ベアラ（ＤＲＢ）と、その上に待ち行列に入れられたステータスシグナリングを有する１つまたは複数のステータス無線ベアラとを備える無線ベアラのセットを識別するための手段を備え、
前記割り当てるための手段は、ステータス送信のためのトリガイベントを検出すると、前記１つまたは複数のステータス無線ベアラ上の待ち行列に入れられたステータスシグナリングが、前記１つまたは複数のＤＲＢ上の待ち行列に入れられたデータより前に送信されるように、無線ベアラの前記セットに優先レベルを割り当てるための手段を備える、
Ｃ３１に記載の装置。
［Ｃ３６］
前記１つまたは複数のステータス無線ベアラは、その上に待ち行列に入れられた複数のＤＲＢに関連するステータスシグナリングを有する共通のステータス無線ベアラを備える、
Ｃ３５に記載の装置。
［Ｃ３７］
前記１つまたは複数のステータス無線ベアラは、それぞれのＤＲＢに対応するステータス無線ベアラのセットを備え、前記ステータス無線ベアラは、その上に待ち行列に入れられたそれらのそれぞれの対応するＤＲＢに関連するステータスシグナリングを有する、
Ｃ３５に記載の装置。
［Ｃ３８］
前記分類するための手段は、
前記識別された情報に関連する、ステータスシグナリングインジケータまたはデータインジケータのうちの１つまたは複数を備えるそれぞれのインジケータを識別するための手段と、
少なくとも部分的に、ステータスシグナリングインジケータに関連する識別された情報をステータスシグナリングとして分類することと、データインジケータに関連する識別された情報をデータとして分類することとによって、前記識別された情報をステータスシグナリングとデータとに分類するための手段と、
を備える、Ｃ３１に記載の装置。
［Ｃ３９］
前記識別された情報に関連する前記それぞれのインジケータは、前記識別された情報内の所定のビット位置に位置を特定されたあらかじめ定義されたビット値を備え、前記あらかじめ定義されたビット値は、ステータスシグナリング指示を与える第１のビット値、またはデータ指示を与える第２のビット値である、
Ｃ３８に記載の装置。
［Ｃ４０］
前記分類するための手段は、
ステータスシグナリングが存在する論理チャネルのリストを維持するための手段と、
前記維持されたリストに少なくとも部分的に基づいて、それぞれの識別された情報をステータスシグナリングとして分類するための手段と、
を備える、Ｃ３１に記載の装置。
［Ｃ４１］
前記装置は、ノードＢまたはユーザ機器ユニット（ＵＥ）のうちの１つまたは複数である、
Ｃ３１に記載の装置。
［Ｃ４２］
コンピュータに、１つまたは複数の無線ベアラと、前記１つまたは複数の無線ベアラ上の待ち行列に入れられたそれぞれの情報および１つまたは複数の無線ベアラを識別するためのコードと、なお、前記情報は、ステータスメッセージまたはデータのうちの少なくとも１つを備える、
コンピュータに、前記１つまたは複数の無線ベアラ上の待ち行列に入れられた前記情報のうち、それぞれのステータスメッセージを識別させるためのコードと、
コンピュータに、前記ステータスメッセージが前記１つまたは複数の無線ベアラ上の待ち行列に入れられたデータより前に送信されるように、前記それぞれのステータスメッセージに優先順位を付けさせるためのコードと、
を備える、コンピュータ可読媒体を備えるコンピュータプログラム製品。
［Ｃ４３］
前記ステータスメッセージは、それぞれの無線ベアラに関連し、ＰＤＣＰ（Packet Data Convergence Protocol）ステータスメッセージまたは無線リンク制御（ＲＬＣ）肯定応答（ＡＣＫ）メッセージのうちの少なくとも１つを備える、
Ｃ４２に記載のコンピュータプログラム製品。
［Ｃ４４］
コンピュータに優先順位を付けさせるための前記コードは、コンピュータに、ワイヤレス通信システムにおけるそれぞれのセル間のハンドオーバ、またはワイヤレス通信ネットワークと前記ワイヤレス通信ネットワークによってサービスされるユーザ機器ユニット（ＵＥ）との間の通信セッションのうちの少なくとも１つに関連するステータスメッセージの送信に関して、前記それぞれのステータスメッセージに優先順位を付けさせるためのコードを備える、
Ｃ４２に記載のコンピュータプログラム製品。
［Ｃ４５］
コンピュータに１つまたは複数の無線ベアラを識別させるための前記コードは、コンピュータに、それぞれのデータが待ち行列に入れられる１つまたは複数のデータ無線ベアラ（ＤＲＢ）と、それぞれのステータスメッセージが待ち行列に入れられた１つまたは複数のステータス無線ベアラとを識別させるためのコードを備え、
コンピュータに優先順位を付けさせるためのコードは、コンピュータに、前記１つまたは複数のステータス無線ベアラ上の待ち行列に入れられたステータスメッセージが、前記１つまたは複数のＤＲＢ上の待ち行列に入れられたデータより前に送信されるように、前記１つまたは複数のステータス無線ベアラ上の待ち行列に入れられた前記ステータスメッセージに優先順位を付けさせるためのコードを備える、
Ｃ４２に記載のコンピュータプログラム製品。
［Ｃ４６］
前記１つまたは複数のステータス無線ベアラは、複数のＤＲＢに関連するステータスメッセージが待ち行列に入れられた共通のステータス無線ベアラを備える、
Ｃ４５に記載のコンピュータプログラム製品。
［Ｃ４７］
前記１つまたは複数のステータス無線ベアラは、それぞれのＤＲＢに対応し、前記それぞれ対応するＤＲＢに関連するステータスメッセージが待ち行列に入れられたステータス無線ベアラのセットを備える、
Ｃ４５に記載のコンピュータプログラム製品。
［Ｃ４８］
コンピュータにそれぞれのステータスメッセージを識別させるための前記コードは、
コンピュータに、前記１つまたは複数の無線ベアラ上の待ち行列に入れられた前記情報に関連する、ステータスメッセージインジケータまたはデータインジケータのうちの１つまたは複数を備えるそれぞれのインジケータを識別させるためのコードと、
コンピュータに、少なくとも部分的に、前記１つまたは複数の無線ベアラ上の待ち行列に入れられたステータスメッセージインジケータに関連する情報を識別することによって、それぞれのステータスメッセージを識別させるためのコードと、
を備える、Ｃ４２に記載のコンピュータプログラム製品。
［Ｃ４９］
コンピュータにそれぞれのインジケータを識別させるための前記コードは、
コンピュータに、前記１つまたは複数の無線ベアラ上の待ち行列に入れられたそれぞれの情報内の所定のビット位置を分析させるためのコードと、
コンピュータに、前記所定のビット位置において第１の値を有する情報をステータスメッセージとして識別させるためのコードと、
コンピュータに、前記所定のビット位置において第２の値を有する情報をデータとして識別させるためのコードと、
を備える、Ｃ４８に記載のコンピュータプログラム製品。
［Ｃ５０］
コンピュータにそれぞれのステータスメッセージを識別させるための前記コードは、
コンピュータに、ステータスメッセージが待ち行列に入れられた無線ベアラのセットを維持させるためのコードと、
コンピュータに、維持されたリストによって示される１つまたは複数の無線ベアラ上の待ち行列に入れられたステータスメッセージを識別させるためのコードと、
を備える、Ｃ４２に記載のコンピュータプログラム製品。
【図１】
0005490788.tif 000002
【図２】
0005490788.tif 000003
【図３】
0005490788.tif 000004
【図４】
0005490788.tif 000005
【図５】
0005490788.tif 000006
【図６】
0005490788.tif 000007
【図７】
0005490788.tif 000008
【図８】
0005490788.tif 000009
【図９】
0005490788.tif 000010
【図１０】
0005490788.tif 000011
【図１１】
0005490788.tif 000012
【図１２】
0005490788.tif 000013
【図１３】
0005490788.tif 000014
【図１４】
0005490788.tif 000015
【図１５】
0005490788.tif 000016
【図１６】
0005490788.tif 000017
【図１７】
0005490788.tif 000018
【図１８】
0005490788.tif 000019